(57)【要約】【課題】  従来の同軸ケーブルにおける減衰量などの電気特性および製造性が同等で、かつ従来よりも軽量化が図られるようにする。【解決手段】  内部導体９の周囲に絶縁体１１を被覆し、この絶縁体１１の周囲に外部導体１３を巻回し、この外部導体１３の周囲に外皮１５を被覆してなる同軸ケーブル１において、前記内部導体９が金属メッキあるいは金属箔１７付プラステックテープ１９を外周に施した非導電性体で構成されていることを特徴とする。【選択図】  図１
2006049005.tif 000002
【特許請求の範囲】
【請求項１】
内部導体の周囲に絶縁体を被覆し、この絶縁体の周囲に外部導体を巻回し、この外部導体の周囲に外皮を被覆してなる同軸ケーブルにおいて、前記内部導体が金属メッキあるいは金属箔付プラスチックテープを外周に施した非導電性体で構成されていることを特徴とする同軸ケーブル。
【請求項２】
前記金属メッキあるいは金属箔付プラスチックテープが、前記金属メッキあるいは金属箔付プラスチックテープの一部を除去し、重なり部分で前記金属メッキあるいは金属箔同士を接触した構造となっていることを特徴とする請求項１記載の同軸ケーブル。
【請求項３】
前記金属メッキあるいは金属箔付プラスチックテープにおいて、前記金属メッキあるいは金属箔をプラスチックテープの両面に貼付し、かつ前記プラスチックテープの少なくとも一部に金属メッキあるいは金属箔を設けると共に前記両面の金属メッキあるいは金属箔導通させてなることを特徴とする請求項１記載の同軸ケーブル。
【請求項４】
前記プラスチックテープの重なり部分に前記金属メッキあるいは金属箔の導電層を有していることを特徴とする請求項３記載の同軸ケーブル。
【請求項５】
前記プラスチックテープの内側における前記金属メッキあるいは金属箔の内側に非導電層または導電層の接着層を設けてなることを特徴とする請求項３記載の同軸ケーブル。
【請求項６】
前記プラスチックテープの両面における前記金属メッキあるいは金属箔の両面に非導電層または導電層の接着層を設けてなることを特徴とする請求項３記載の同軸ケーブル。
【発明の詳細な説明】
【技術分野】
【０００１】
この発明は、移動通信用などの同軸ケーブルに係り、特に軽量化を可能にした同軸ケーブルに関する。
【背景技術】
【０００２】
従来の同軸ケーブル１０１としては、図８（Ａ）に示されているように、断面が図８（Ｂ）に示すごとく中空形状の無酸素銅パイプからなる内部導体１０３を軸方向図８（Ａ）において左右方向へ延伸されて備えている。この内部導体１０３の周囲には高発泡ポリエチレンからなる絶縁体１０５が被覆されている。この絶縁体１０５の周囲には無酸素銅パイプが溶接波付加工された外部導体１０７が巻回されている。そして、この外部導体１０７の周囲にはポリエチレン樹脂からなる外皮（シース）１０９が被覆されている。
【特許文献１】特開２００３−６８１５３号公報
【特許文献２】特開２００４−１３４３５２号公報
【発明の開示】
【発明が解決しようとする課題】
【０００３】
ところで、上述した従来の同軸ケーブル１０１における構造では、内部導体１０３には無酸素銅パイプが用いられている。この無酸素銅パイプは単線を用いることより軽量化するために用いられているが、ある程度の厚さが必要であり、同軸ケーブル１０１自体が硬く、また、重量が重くなってしまう問題がある。
【０００４】
この発明は上述の課題を解決するためになされたものである。
【課題を解決するための手段】
【０００５】
上記発明が解決しようとする課題を達成するためにこの発明の同軸ケーブルは、内部導体の周囲に絶縁体を被覆し、この絶縁体の周囲に外部導体を巻回し、この外部導体の周囲に外皮を被覆してなる同軸ケーブルにおいて、前記内部導体が金属メッキあるいは金属箔付プラスチックテープを外周に施した非導電性体で構成されていることを特徴とするものである。
【０００６】
この発明の同軸ケーブルは、前記同軸ケーブルにおいて、前記金属メッキあるいは金属箔付プラスチックテープが、前記金属メッキあるいは金属箔付プラスチックテープの一部を除去し、重なり部分で前記金属メッキあるいは金属箔同士を接触した構造となっていることが好ましい。
【０００７】
この発明の同軸ケーブルは、前記同軸ケーブルにおいて、前記金属メッキあるいは金属箔付プラスチックテープにおいて、前記金属メッキあるいは金属箔をプラスチックテープの両面に貼付し、かつ前記プラスチックテープの少なくとも一部に金属メッキあるいは金属箔を設けると共に前記両面の金属メッキあるいは金属箔導通させてなることが好ましい。
【０００８】
この発明の同軸ケーブルは、前記同軸ケーブルにおいて、前記プラスチックテープの重なり部分に前記金属メッキあるいは金属箔の導電層を有していることが好ましい。
【０００９】
この発明の同軸ケーブルは、前記同軸ケーブルにおいて、前記プラスチックテープの内側における前記金属メッキあるいは金属箔の内側に非導電層または導電層の接着層を設けてなることが好ましい。
【００１０】
この発明の同軸ケーブルは、前記同軸ケーブルにおいて、前記プラスチックテープの両面における前記金属メッキあるいは金属箔の両面に非導電層または導電層の接着層を設けてなることが好ましい。
【発明の効果】
【００１１】
以上のごとき課題を解決するための手段の説明から理解されるように、この発明によれば、従来の同軸ケーブルにおける減衰量などの電気特性および製造性が同等で、かつ従来よりも軽量化を図ることができる。
【発明を実施するための最良の形態】
【００１２】
以下、この発明の実施の形態について図面を参照して詳細に説明する。
【００１３】
図１（Ａ）を参照するに、同軸ケーブル１としては、例えば銅からなる金属箔付プラスチックテープ３を外周に施した断面が図１（Ｂ）に示すごとく充実されたプラスチックなどの非導電性紐５あるいは図１（Ｃ）に示すごとく中空形状のプラスチックの非導電性パイプ７からなる中心導体９が軸方向図１（Ａ）において左右方向へ延伸されて備えている。この内部導体９の周囲には高発泡ポリエチレンからなる絶縁体１１が被覆されている。この絶縁体１１の周囲には無酸素銅パイプが溶接波付加工された外部導体１３が巻回されている。そして、この外部導体１３の周囲にはポリエチレン樹脂からなる外皮（シース）１５が被覆されている。
【００１４】
上記構成により、絶縁体１１、外部導体１３および外皮（シース）１５の材質は従来と同じものが使用され、中心導体９として、従来の無酸素銅パイプの代わりに例えば銅からなる金属箔付プラスチックテープ３を外周に施したプラスチックの非導電性紐５あるいはプラスチックの非導電性パイプ７を用いることで、従来の同軸ケーブルにおける減衰量などの電気特性および製造性が同等で、かつ従来よりも大幅な軽量化を図ることができる。そして、同軸ケーブル全てに適用可能で、例えば、用途は移動通信用を始め様々な用途に適用可能である。
【００１５】
例えば、内部導体９の外径が９．０ｍｍ、厚さが０．７ｍｍの場合、同軸ケーブル１の重量は１００ｍ当たり５４ｋｇであり、内部導体９を構成する金属箔３として図２に示されているように、両面銅箔（金属箔）１７を貼付したプラスチックテープ１９を、非導電性紐５にポリエチレン紐を適用することにより１００ｍ当たり４４ｋｇとなり、従来の同軸ケーブル１０１より約１９％の軽量化を実現することができる。
【００１６】
また、上記の図２においては、両面銅箔（金属箔）１７を貼付したプラスチックテープ１９を用いたが、片面銅箔（金属箔）を貼付したプラスチックテープを用いても適用できる。
【００１７】
また、図３に示されているように、プラスチックの非導電性紐５あるいはプラスチックの非導電性パイプ７の外周に片面銅箔（金属箔）１７を貼付したプラスチックテープ１９の重なり部分でプラスチックテープ１９の層を除去した除去部分１９Ａを設けて接触した構造としても適用可能である。
【００１８】
さらに、図４に示されているように、両面銅箔（金属箔）１７を貼付したプラスチックテープ１９で両面の銅箔１７の間に少なくとも１つの銅箔（金属箔）１７を設けて導通させた構造としても適用可能である。
【００１９】
さらに、図６に示されているように、図４に示された両面銅箔（金属箔）１７を貼付したプラスチックテープ１９を用いて、プラスチックテープ１９の重なり部分１９Ｂに導電層を有することにより、電気伝導性を良くし、良好な伝送特性を得ることができる。
【００２０】
また、図６に示されているように、両面銅箔（金属箔）１７を貼付したプラスチックテープ１９の内側片面図６において下側に接着層２１を設けて電気特性の安定性を図ることができる。この接着層２１は非導電性のものや導電性のものも適用できる。
【００２１】
さらに、図７に示されているように、両面銅箔（金属箔）１７を貼付したプラスチックテープ１９間に少なくとも１つの導電層となる銅箔（金属箔）を設けて導通を有する構造とし、両面銅箔（金属箔）１７を貼付したプラスチックテープ１９の上下両面に接着層２１を設けて各部位との密着性を良くし電気特性の安定を図ることができる。
【００２２】
なお、この発明は上述した発明の実施の形態に限定されることなく、その他の態様で実施し得るものである。例えば、外部導体１３としてスパイラル状無酸素銅テープ溶接波付加工で説明したが、リング状無酸素銅テープ溶接波付加工を用いても構わない。また、内部導体３の一部を構成する銅箔（金属）貼付プラスチックテープの代わりに金属メッキ貼付プラスチックテープを用いても構わない。
【図面の簡単な説明】
【００２３】
【図１】（Ａ）はこの発明の同軸ケーブルの正面図、（Ｂ）は（Ａ）におけるＢ−Ｂ線に沿った拡大断面図、（Ｃ）は（Ａ）におけるＣ−Ｃ線に沿った拡大断面図、である。
【図２】図１における金属箔の一例を示した正面断面図である。
【図３】非導電性紐あるいは非導電性パイプの外周に片面銅箔（金属箔）を貼付したプラスチックテープの一例の側面断面図である。
【図４】図１における金属箔の他例を示した正面断面図である。
【図５】非導電性紐あるいは非導電性パイプの外周に両面銅箔（金属箔）を貼付したプラスチックテープの一例の側面断面図である。
【図６】両面銅箔（金属箔）を貼付したプラスチックテープの片面に接着層を設けた一例の正面断面図である。
【図７】両面銅箔（金属箔）を貼付したプラスチックテープの両面に接着層を設けた一例の正面断面図である。
【図８】（Ａ）は従来の同軸ケーブルの正面図、（Ｂ）は（Ａ）におけるＢ−Ｂ線に沿った拡大断面図である。
【符号の説明】
【００２４】
１  同軸ケーブル
３  金属箔
５  非導電性紐（非導電体）
７  非導電性パイプ（非導電体）
９  内部導体
１１  絶縁体
１３  外部導体
１５  外皮（シース）
１７  銅箔（金属箔）
１９  プラスチックテープ
１９Ａ  除去部分
１９Ｂ  重なり部分
２１  接着層
【図１】
2006049005.tif 000003
【図２】
2006049005.tif 000004
【図３】
2006049005.tif 000005
【図４】
2006049005.tif 000006
【図５】
2006049005.tif 000007
【図６】
2006049005.tif 000008
【図７】
2006049005.tif 000009
【図８】
2006049005.tif 000010